(57)【要約】【課題】曲げ強度の大きい段ボールを実現する。【解決する手段】変形復両面段ボールは、２つの片面段ボール４、４ａを、互いの波状芯部材１、１ａの各頂部１１、１１ａどうしを接合して形成されている。変形復両面段ボールに、芯部材１、１ａの波形状に沿う方向の曲げ力が作用すれば、一方の片面段ボール４には引っ張り方向に力が作用し、他方の片面段ボール４ａには、縮み方向の力が作用する。２つの片面段ボール４、４ａは、互いの芯部材１、１ａの各頂部どうしが接着されているため、互いの芯部材１、１ａは、延びもせず、縮みもしない。このため、段ボールの曲げ強度が大きくなる。【選択図】  図２
2004223821.tif 000002
【特許請求の範囲】
【請求項１】
断面形状が波状に連続して湾曲した２枚の芯部材（１）（１ａ）の互いの各山部の頂部（１１）（１１ａ）どうしを接着して中芯（３）が形成され、該中芯（３）の両面に平行にシート（２）（２ａ）が接合されている変形復両面段ボール。
【発明の詳細な説明】
【０００１】
【発明の属する分野】
本発明は、中芯が２段に形成された復両面段ボールの変形に関するものである。
【０００２】
【従来の技術及び発明が解決しようとする課題】
段ボールの種類には、４図に示す如く、波状に湾曲した芯部材（１）の片面に平面状にシート（２）を貼り付けた片面段ボール（４）、図５に示す如く、波状芯部材（１）の両面に平行にシート（２）（２ａ）を貼着した両面段ボール（５）、  図６に示す如く、両面段ボール（５）と片面段ボール（４）を貼り合わせた復両面段ボール（６）等がある。段ボールの波形状に沿う方向の曲げ強度は、図４の片面段ボール（４）よりも図５の両面段ボール（５）の方が大きく、該両面段ボール（５）よりも図６の復両面段ボール（６）の方が大きいのは当然である。
【０００３】
但し、復両面段ボール（６）の曲げ強度は、片面段ボール（４）と両面段ボール（５）の夫々の強度及び、復両面段ボール（６）の全体厚みから予想される強度よりも小さいのである。
この理由は、片面段ボール（４）と復両面段ボール（６）を貼り合わせるに際し、両段ボールシート（４）（６）の山部の位置ずれに全く無頓着であり、両段ボール（４）（６）の芯部材（１）（１）の山部の位置がずれているからである。
【０００４】
図３に示す如く、復両面段ボール（６）を、両面段ボール（５）が延びる側に、片面段ボール（４）が縮む側となる様に曲げ力を加えると、両面段ボール（５）には片面段ボール（４）側の山ピッチＰ１を小さくする力が作用し、片面段ボール（４）には両面段ボール（５）側の山ピッチＰ２を大きくする力が作用する。
又、両面段ボール（５）の外側のシート（２）には該シートを引っ張る力が働き、内側シート（２ｂ）には、該シートを撓ませる力が働く。
片面段ボール（４）のシート（２）には、シートを撓ませる力が働く。
【０００５】
片面段ボール（４）の山部は、撓もうとする両面段ボール（５）の内側のシート（２ｂ）を押圧して該両面段ボール（５）の谷部に侵入できる。片面段ボール（４）の山部の頂部間が開く力は、該頂部が両面段ボール（５）の芯部材（１）の谷部に侵入することで吸収される。
片面段ボール（４）のシート（２）は、該シート（２）が撓むことを拘束するものはないため、自由に撓むことができる。
従って、復両面段ボール（６）には、その厚みほどには大きな曲げ強度を得ることはできない。
【０００６】
本発明は、２つの片面段ボールを、互いの波状芯部材の頂部どうしを接合することにより、大きな曲げ強度を得られる変形復両面段ボールを明らかにするものである。
【０００７】
【課題を解決する手段】
本発明の変形復両面段ボールは、断面形状が波状に連続して湾曲した２枚の芯部材（１）（１ａ）の、互いの各山部の頂部（１１）（１１ａ）どうしを接着して中芯（３）が形成され、該中芯（３）の両面に平行にシート（２）（２ａ）が接合されている。
上記構成は、２つの片面段ボール（４）（４ａ）を、互いの波状芯部材（１）（１ａ）の頂部（１１）（１１ａ）どうしを接合した構成と同じである。
【０００８】
【作用及び効果】
変形復両面段ボールに、芯部材（１）（１ａ）の波形状に沿う方向の曲げ力が作用すれば、一方の片面段ボール（４）には引っ張り方向に力が作用し、他方の片面段ボール（４ａ）には、縮み方向の力に作用する。
引っ張り方向に力が作用する片面段ボール（４）を厳密に考察すると、該片面段ボール（４）のシート（２）は、引っ張り方向に力が作用するが、芯部材（１）は、山のピッチＰ３は狭まる方向に力を受ける。
縮み方向に力が作用する片面段ボール（４）では、シート（２ａ）は縮み方向の力を受けるが、芯部材（１ａ）は頂部のピッチＰ４が拡がる方向に力を受ける。
【０００９】
上記の様に、芯部材（１）の頂部ピッチＰ３が狭まる方向に力を受ける片面段ボール（４）と、芯部材（１ａ）の頂部ピッチＰ４が拡がる方向に力を受ける片面段ボール（４ａ）の、互いの芯部材（１）（１ａ）の頂部どうしが接着されているため、互いの芯部材（１）（１ａ）は、延びもせず、縮みもしない。従って、段ボールの曲げ強度が大きくなる。
【００１０】
従来の復両面段ボール（６）に較べて、その中央のシート（２ｂ）を省略できるから材料コストを低減できる。又、該中央のシート（２ｂ）が存在しないため、２つの片面段ボール（４）（４ａ）の互いの山部の各頂部どうしが対向しないと貼り合わせできないため、不良品の見分けが簡単にできる。
【００１１】
【発明の実施の形態】
図１に示す如く、本発明の変形復両面段ボールは、２枚の片面段ボール（４）（４ａ）を、互いの芯部材（１）（１ａ）の山部の頂部どうしを正しく対向させて接着して形成されている。
上記変形復両面段ボールは、断面形状が波状に連続して湾曲した２枚の紙製芯部材（１）（１ａ）を、互いの山部の頂部（１１）（１１ａ）どうしを対向させて接着して中芯（３）を形成し、該中芯（３）の両面に平行に紙製シート（２）（２ａ）を接合しているとも表現できる。
即ち、段ボールの製作手順は問わない。
一方の芯部材（１）の山部のピッチＰ３と他方の芯部材（１ａ）の山部のピッチＰ４は一致している。
【００１２】
変形復両面段ボールに、芯部材（１）（１ａ）の波形状に沿う方向の曲げ力が作用すれば、一方の片面段ボール（４）には引っ張り力が作用し、他方の片面段ボール（４ａ）には、縮み力が作用する。
引っ張り力が作用する片面段ボール（４）を厳密に考察すると、該片面段ボール（４）のシート（２）は、延びる方向に力が作用するが、芯部材（１）は、山のピッチＰ３は小さくなる方向に力を受ける。
縮み方向に力が作用する片面段ボール（４ａ）では、シート（２ａ）は縮む方向の力を受けるが、芯部材（１ａ）は山のピッチＰ４が大きくなる方向に力を受ける。
【００１３】
上記の様に、芯部材（１）の山ピッチＰ３が小さくなる方向に力を受ける片面段ボール（４）と、芯部材（１ａ）の山ピッチＰ４が大きくなる方向に力を受ける片面段ボール（４ａ）は、互いの芯部材（１）（１ａ）の山部の頂部どうしが接着されているため、互いの芯部材（１）（１ａ）は、延びもせず、縮みもしない。従って、段ボールの曲げ強度が大きくなる。
【００１４】
従来の復両面段ボール（６）に較べて、その中央のシート（２ｂ）を省略できるから材料コストを低減できる。又、該中央のシート（２ｂ）が存在しないため、２つの片面段ボール（４）（４ａ）の互いの山の頂部どうしが正しく対向しないと貼り合わせできないため、不良品の見分けが簡単にできる。
【００１５】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
【図面の簡単な説明】
【図１】変形復両面段ボールの斜面図である。
【図２】同上の拡大正面図である。
【図３】復両面段ボールを曲げた状態の拡大正面図である。
【図４】片面段ボールの斜面図である。
【図５】両面段ボールの斜面図である。
【図６】復両面段ボールの斜面図である。
【符号の説明】
（１）    芯部材
（２）    シート
（３）    中芯
（４）    片面段ボール
【図１】
2004223821.tif 000003
【図２】
2004223821.tif 000004
【図３】
2004223821.tif 000005
【図４】
2004223821.tif 000006
【図５】
2004223821.tif 000007
【図６】
2004223821.tif 000008